(57)【要約】【課題】改竄防止策が施されていることを目視観察によって認識することが困難であり、切り貼り等による改竄の懸念、及びパターン解読の可能性が抑制された、セキュリティー性の高い印刷物を提供すること。【解決手段】基材上に、セキュリティー文字３１が印刷されている印刷物であって、セキュリティー文字３１は、セキュリティー文字線によって表記されており、セキュリティー文字線は、セキュリティーインクによって印刷されたセキュリティー印刷層１１と、非セキュリティーインクによって印刷された隠蔽印刷層２１とを有し、セキュリティー印刷層１１は、パターン状の印刷層であり、かつ、セキュリティー印刷層１１のパターンが、隠蔽印刷層２１によって隠蔽されている、印刷物。【選択図】図２
2020185770.tif 000002
【特許請求の範囲】
【請求項１】
基材上に、セキュリティー文字が印刷されている印刷物であって、
前記セキュリティー文字は、セキュリティー文字線によって表記されており、
前記セキュリティー文字線は、
セキュリティーインクによって印刷されたセキュリティー印刷層と、
非セキュリティーインクによって印刷された隠蔽印刷層と
を有し、
前記セキュリティー印刷層は、パターン状の印刷層であり、かつ
前記セキュリティー印刷層のパターンが、前記隠蔽印刷層によって隠蔽されている、
印刷物。
【請求項２】
前記セキュリティー文字線は、
前記セキュリティー印刷層と、
前記セキュリティー印刷層上の、前記隠蔽印刷層と
から構成される、
請求項１に記載の印刷物。
【請求項３】
前記セキュリティー文字線は、
前記隠蔽印刷層と、
前記隠蔽印刷層上の、前記セキュリティー印刷層と
から構成される、請求項１に記載の印刷物。
【請求項４】
前記セキュリティー文字線は、
前記セキュリティー印刷層と、
前記隠蔽印刷層と、
から構成され、
前記隠蔽印刷層は、パターン状の印刷層であり、かつ、
前記セキュリティー文字線を前記基材面に垂直な方向から観察したとき、前記隠蔽印刷層のパターンが、前記セキュリティー印刷層のパターンの空白部を埋めるように配置されている、
請求項１に記載の印刷物。
【請求項５】
前記セキュリティーインクが磁気インクであり、前記非セキュリティーインクが非磁気インクである、請求項１〜４のいずれか一項に記載の印刷物。
【請求項６】
前記セキュリティーインクがカーボン含有インクであり、前記非セキュリティーインクがカーボン非含有インクである、請求項１〜４のいずれか一項に記載の印刷物。
【請求項７】
前記セキュリティーインクが蛍光インクであり、前記非セキュリティーインクが非蛍光インクである、請求項１、３、又は４に記載の印刷物。
【請求項８】
前記セキュリティー文字が数字を含む、請求項１〜７のいずれか一項に記載の印刷物。
【請求項９】
前記セキュリティー文字がアルファベットを含む、請求項１〜８のいずれか一項に記載の印刷物。
【請求項１０】
前記印刷物が有価証券である、請求項１〜９のいずれか一項に記載の印刷物。
【請求項１１】
基材上に、セキュリティー文字が印刷されている印刷物の製造方法であって、
前記セキュリティー文字は、セキュリティー文字線によって表記されており、
前記セキュリティー文字線は、
セキュリティーインクによって印刷されたセキュリティー印刷層と、
非セキュリティーインクによって印刷された隠蔽印刷層と
を有し、
前記セキュリティー印刷層は、パターン状の印刷層であり、かつ、
前記セキュリティー印刷層のパターンが、前記隠蔽印刷層によって隠蔽されており、
前記製造方法は、
セキュリティーインクによってセキュリティー印刷層を印刷すること、及び
非セキュリティーインクによって隠蔽印刷層を印刷すること
を順不同で含み、これにより、前記セキュリティー印刷層のパターンが前記隠蔽印刷層によって隠蔽されている前記セキュリティー文字線を構成する、
製造方法。
【請求項１２】
基材上に、セキュリティー文字が印刷されている印刷物の真贋判定方法であって、
前記セキュリティー文字は、セキュリティー文字線によって表記されており、
前記セキュリティー文字線は、
セキュリティーインクによって印刷されたセキュリティー印刷層と、
非セキュリティーインクによって印刷された隠蔽印刷層と
を有し、
前記セキュリティー印刷層は、パターン状の印刷層であり、かつ、
前記セキュリティー印刷層のパターンが、前記隠蔽印刷層によって隠蔽されており、
前記真贋判定方法は、前記セキュリティー文字が、所定のセキュリティーインクによって印刷されたセキュリティー印刷層を含む所定のセキュリティー文字線によって表記されているか否かを検出することを含む、
真贋判定方法。
【請求項１３】
前記セキュリティーインクが磁気インクであり、
前記非セキュリティーインクが非磁気インクであり、
前記セキュリティー文字が、前記所定のセキュリティーインクによって印刷されたセキュリティー印刷層を含む所定のセキュリティー文字線によって表記されているか否かを検出することを、磁気的に行う、
請求項１２に記載の真贋判定方法。
【請求項１４】
前記セキュリティーインクがカーボン含有インクであり、
前記非セキュリティーインクがカーボン非含有インクであり、
前記セキュリティー文字が、前記所定のセキュリティーインクによって印刷されたセキュリティー印刷層を含む所定のセキュリティー文字線によって表記されているか否かを検出することを、赤外線光源を有する画像読取装置によって行う、
請求項１２に記載の真贋判定方法。
【請求項１５】
前記セキュリティーインクが蛍光インクであり、
前記非セキュリティーインクが非蛍光インクであり、
前記セキュリティー文字が、前記所定のセキュリティーインクによって印刷されたセキュリティー印刷層を含む所定のセキュリティー文字線によって表記されているか否かを検出することを、紫外線光源を有する画像読取装置によって行う、
請求項１２に記載の真贋判定方法。
【発明の詳細な説明】
【技術分野】
【０００１】
本発明は、印刷物及びその製造方法に関する。詳しくは、改竄及び偽造が困難であり、真贋判定が容易な、有価証券等に適用可能な印刷物、及びその製造方法に関する。
【背景技術】
【０００２】
口座番号、取引金額等のセキュリティー性の高い可変情報を含む文字列を有する有価証券類では、例えば、印字文字の切り貼り等による改竄等に対する防止策が施されていることを要する。
【０００３】
改竄等防止策として、例えば、地紋を有する基材上に、地紋と異なる色の文字列を印字する方法が知られている。例えば、特許文献１には、複数の印字枠内に可変情報データが印字されている１面が多面付けで配列される基材の全面に、可視光下で視認不可能な特殊インキによって、不等間隔の斜線が印刷された偽造防止策が施された印刷物が、記載されている。
【０００４】
また、文字列を、パターン付き文字線によって表記する方法が知られている。例えば、特許文献２には、可変情報の各桁の数値に応じて予め設定された基本彩文図形を組み合わせて、印刷物１枚ごとに個別の彩文を設定し、この個別に設定された彩文パターンの文字線で可変情報データを印字することが記載されている。
【先行技術文献】
【特許文献】
【０００５】
【特許文献１】特開２００４−１４８７１２号公報
【特許文献２】特開２０１７−１３６８４５号公報
【発明の概要】
【発明が解決しようとする課題】
【０００６】
上述の先行技術文献に記載された改竄等防止策を採用した場合でも、例えば、切り貼り等による改竄、パターン設定の解読等の懸念が、完全には払拭されていない。
【０００７】
本発明は、上記の先行技術における懸念を払拭しようとするものであり、改竄防止策が施されていることを目視観察によって認識することが困難であり、切り貼り等による改竄の懸念、及びパターン解読の可能性が抑制された、セキュリティー性の高い印刷物、及びその製造方法を提供することを目的とする。
【課題を解決するための手段】
【０００８】
本発明は、以下のとおりである。
【０００９】
《態様１》基材上に、セキュリティー文字が印刷されている印刷物であって、
上記セキュリティー文字は、セキュリティー文字線によって表記されており、
上記セキュリティー文字線は、
セキュリティーインクによって印刷されたセキュリティー印刷層と、
非セキュリティーインクによって印刷された隠蔽印刷層と
を有し、
上記セキュリティー印刷層は、パターン状の印刷層であり、かつ
上記セキュリティー印刷層のパターンが、上記隠蔽印刷層によって隠蔽されている、
印刷物。
《態様２》上記セキュリティー文字線は、
上記セキュリティー印刷層と、
上記セキュリティー印刷層上の、上記隠蔽印刷層と
から構成される、
態様１に記載の印刷物。
《態様３》上記セキュリティー文字線は、
上記隠蔽印刷層と、
上記隠蔽印刷層上の、上記セキュリティー印刷層と
から構成される、態様１に記載の印刷物。
《態様４》上記セキュリティー文字線は、
上記セキュリティー印刷層と、
上記隠蔽印刷層と、
から構成され、
上記隠蔽印刷層は、パターン状の印刷層であり、かつ、
上記セキュリティー文字線を上記基材面に垂直な方向から観察したとき、上記隠蔽印刷層のパターンが、上記セキュリティー印刷層のパターンの空白部を埋めるように配置されている、
態様１に記載の印刷物。
《態様５》上記セキュリティーインクが磁気インクであり、上記非セキュリティーインクが非磁気インクである、態様１〜４のいずれか一項に記載の印刷物。
《態様６》上記セキュリティーインクがカーボン含有インクであり、上記非セキュリティーインクがカーボン非含有インクである、態様１〜４のいずれか一項に記載の印刷物。
《態様７》上記セキュリティーインクが蛍光インクであり、上記非セキュリティーインクが非蛍光インクである、態様１、３、又は４に記載の印刷物。
《態様８》上記セキュリティー文字が数字を含む、態様１〜７のいずれか一項に記載の印刷物。
《態様９》上記セキュリティー文字がアルファベットを含む、態様１〜８のいずれか一項に記載の印刷物。
《態様１０》上記印刷物が有価証券である、態様１〜９のいずれか一項に記載の印刷物。
《態様１１》基材上に、セキュリティー文字が印刷されている印刷物の製造方法であって、
上記セキュリティー文字は、セキュリティー文字線によって表記されており、
上記セキュリティー文字線は、
セキュリティーインクによって印刷されたセキュリティー印刷層と、
非セキュリティーインクによって印刷された隠蔽印刷層と
を有し、
上記セキュリティー印刷層は、パターン状の印刷層であり、かつ、
上記セキュリティー印刷層のパターンが、上記隠蔽印刷層によって隠蔽されており、
上記製造方法は、
セキュリティーインクによってセキュリティー印刷層を印刷すること、及び
非セキュリティーインクによって隠蔽印刷層を印刷すること
を順不同で含み、これにより、上記セキュリティー印刷層のパターンが上記隠蔽印刷層によって隠蔽されている上記セキュリティー文字線を構成する、
製造方法。
《態様１２》基材上に、セキュリティー文字が印刷されている印刷物の真贋判定方法であって、
上記セキュリティー文字は、セキュリティー文字線によって表記されており、
上記セキュリティー文字線は、
セキュリティーインクによって印刷されたセキュリティー印刷層と、
非セキュリティーインクによって印刷された隠蔽印刷層と
を有し、
上記セキュリティー印刷層は、パターン状の印刷層であり、かつ、
上記セキュリティー印刷層のパターンが、上記隠蔽印刷層によって隠蔽されており、
上記真贋判定方法は、上記セキュリティー文字が、所定のセキュリティーインクによって印刷されたセキュリティー印刷層を含む所定のセキュリティー文字線によって表記されているか否かを検出することを含む、
真贋判定方法。
《態様１３》上記セキュリティーインクが磁気インクであり、
上記非セキュリティーインクが非磁気インクであり、
上記セキュリティー文字が、上記所定のセキュリティーインクによって印刷されたセキュリティー印刷層を含む所定のセキュリティー文字線によって表記されているか否かを検出することを、磁気的に行う、
態様１２に記載の真贋判定方法。
《態様１４》上記セキュリティーインクがカーボン含有インクであり、
上記非セキュリティーインクがカーボン非含有インクであり、
上記セキュリティー文字が、上記所定のセキュリティーインクによって印刷されたセキュリティー印刷層を含む所定のセキュリティー文字線によって表記されているか否かを検出することを、赤外線光源を有する画像読取装置によって行う、
態様１２に記載の真贋判定方法。
《態様１５》上記セキュリティーインクが蛍光インクであり、
上記非セキュリティーインクが非蛍光インクであり、
上記セキュリティー文字が、上記所定のセキュリティーインクによって印刷されたセキュリティー印刷層を含む所定のセキュリティー文字線によって表記されているか否かを検出することを、紫外線光源を有する画像読取装置によって行う、
態様１２に記載の真贋判定方法。
【発明の効果】
【００１０】
本発明によると、改竄防止策が施されていることを目視観察によって認識すること自体が困難であり、例えば切り貼り等による改竄の懸念、及びパターン解読の可能性が抑制された、セキュリティー性の高い印刷物、及びその製造方法が得られる。
【図面の簡単な説明】
【００１１】
【図１】図１は、本明細書における「文字線」を定義するための説明図である。
【図２】図２は、セキュリティー文字の構成の一例を示す、説明図である。図２（ａ）は、セキュリティーインクによって印刷されたパターン状のセキュリティー印刷層であり、図２（ｂ）は、図２（ａ）のセキュリティー印刷層上に、非セキュリティーインクによって印刷された隠蔽印刷層であり、図２（ｃ）は、セキュリティー文字の目視観察結果である。
【図３】図３は、セキュリティー文字の構成の別の一例を示す、説明図である。図３（ａ）は、非セキュリティーインクによって印刷された隠蔽印刷層であり、図３（ｂ）は、図３（ａ）の隠蔽印刷層上に、セキュリティーインクによって印刷されたパターン状のセキュリティー印刷層であり、図３（ｃ）は、セキュリティー文字の目視観察結果である。
【図４】図４は、セキュリティー文字の構成の更に別の一例を示す、説明図である。図４（ａ）は、セキュリティーインクによって印刷されたパターン状のセキュリティー印刷層であり、図４（ｂ）は、非セキュリティーインクによって印刷されたパターン状の隠蔽印刷層であり、図４（ｃ）は、セキュリティー文字の目視観察結果である。
【図５】図５は、セキュリティー文字線で表記されたアラビア数字の「０」を、市販の磁気インク文字読取装置で読み込んだときの、磁気パターンを示すグラフである。この数字「０」のセキュリティー文字線は、磁気インクを用いて印刷された、パターン状のセキュリティー印刷層を含む。セキュリティー文字線におけるセキュリティー印刷層のパターンは、（ａ）がパターンなし（実線）、（ｂ）が縦ストライプ状、（ｃ）が横ストライプ状、及び（ｄ）が斜めストライプ状である。
【図６】図６は、セキュリティー文字線で表記されたアラビア数字の「１」を、市販の磁気インク文字読取装置で読み込んだときの、磁気パターンを示すグラフである。この数字「１」のセキュリティー文字線は、磁気インクを用いて印刷されたパターン状のセキュリティー印刷層を含む。セキュリティー文字線におけるセキュリティー印刷層のパターンは、（ａ）がパターンなし（実線）、（ｂ）が縦ストライプ状、（ｃ）が横ストライプ状、及び（ｄ）が斜めストライプ状である。
【図７】図７は、セキュリティー文字線で表記されたアラビア数字の「３」を、市販の磁気インク文字読取装置で読み込んだときの、磁気パターンを示すグラフである。この数字「３」のセキュリティー文字線は、磁気インクを用いて印刷されたパターン状のセキュリティー印刷層を含む。セキュリティー文字線におけるセキュリティー印刷層のパターンは、（ａ）がパターンなし（実線）、（ｂ）が縦ストライプ状、（ｃ）が横ストライプ状、及び（ｄ）が斜めストライプ状である。
【発明を実施するための形態】
【００１２】
《印刷物》
本発明の印刷物は、
基材上に、セキュリティー文字が印刷されている印刷物であって、
セキュリティー文字は、セキュリティー文字線によって表記されており、
セキュリティー文字線は、
セキュリティーインクによって印刷されたセキュリティー印刷層と、
非セキュリティーインクによって印刷された隠蔽印刷層と
を有し、
セキュリティー印刷層は、パターン状の印刷層であり、かつ
セキュリティー印刷層のパターンが、隠蔽印刷層によって隠蔽されている、
印刷物である。
【００１３】
〈基材〉
本発明の印刷物における基材としては、印刷物に通常使用されている基材を適宜に選択して使用してよい。基材を構成する材料は、例えば、紙、合成紙、合成樹脂フィルム、不織布等であってよい。基材は、典型的には紙から構成されていてよく、紙は、例えば、上質紙、コート紙、マットコート紙、クラフト紙、カラーペーパー、和紙等の他、紙幣用紙であってもよい。
【００１４】
〈セキュリティー文字〉
本発明の印刷物におけるセキュリティー文字は、本発明の印刷物上に印刷された文字列を構成する複数の文字のうちの１つ又は２つ以上であってよい。
【００１５】
この文字列は、視認者に、具体的又は抽象的な意味内容を有するものではなく、当該印刷物を同種の他の印刷物と区別するために当該印刷物に付与された識別標識の機能を有していてよい。本発明が想定する文字列は、典型的には例えば、口座番号、取引金額、製品のシリアルナンバー、勝馬投票券の馬番号及び枠番号等である。
【００１６】
したがって、文字列を構成する文字は、過度に多くの種類の文字から選択される必要はなく、例えば、数字、アルファベット、平仮名、片仮名、通貨記号（例えば、「￥」、「＄」等）等から選択されてよい。更に、漢字も、文字列構成文字の選択肢に加えてよい。数字は、アラビア数字、ローマ数字、漢数字等から選択されてよい。アルファベットは、大文字及び小文字から選択されてよい。文字列構成文字の選択肢に加えられる漢字の種類は、例えば、１００種類以下、８０種類以下、５０種類以下、３０種類以下、２０種類以下、又は１０種類以下であってよい。
【００１７】
文字列を構成する文字は、例えば、数字を含んでいてよく、アルファベットを含んでいてよく、数字及びアルファベットの双方を含んでいてよい。
【００１８】
本発明の印刷物におけるセキュリティー文字は、上記のような文字列を構成する文字のうちの１つ又は２つ以上である。文字列中のどの位置にセキュリティー文字を配置するかは、印刷物の製造者が任意に定めてよい。例えば、文字列を構成する文字全部をセキュリティー文字としてもよいし、セキュリティー文字と通常文字とを１桁おきに配置してもよいし、文字列中の特定の１つまたは２つ以上の位置にセキュリティー文字を配置し、他の位置には通常文字を配置してもよい。
【００１９】
セキュリティー文字は、セキュリティー文字線によって表記されている。
【００２０】
（文字線）
本明細書において、文字線とは、基材上に文字を印刷するときに、地の色との色調差によって視認者に文字を認識させるために、インクを付着させて表記した部分をいう。
【００２１】
基材上に、アラビア数字の「１」を明朝体で印刷した例を、図１に示した。図１の「１」という文字（５）における文字線（４）は、ステム（１）と、上部修飾セリフ（ｓｅｒｉｆ）（２）と、下部修飾セリフ（３）とによって構成されており、このような構成要素を有する文字線（４）によって、文字（５）が表記されている。視認者は、例えば基材の地の色と、文字線（４）の色との色調差により、「１」という文字（５）を視認することができる。
【００２２】
（セキュリティー文字線）
本発明の印刷物におけるセキュリティー文字線は、
セキュリティーインクによって印刷されたセキュリティー印刷層と、
非セキュリティーインクによって印刷された隠蔽印刷層と
を有し、
セキュリティー印刷層は、パターン状の印刷層であり、かつ
セキュリティー印刷層のパターンが、隠蔽印刷層によって隠蔽されている。
【００２３】
−セキュリティー印刷層−
セキュリティー印刷層は、パターン状の印刷層である。セキュリティー印刷層のパターンは、当該パターンによって表記されたセキュリティー文字を、所定の方法によって認識したときに、当該パターンを有する所定のセキュリティー文字であることを認識可能である限り、任意のパターンであってよい。例えば、斜めストライプ状、縦ストライプ状、横ストライプ状、ドット状、格子状、斜め格子状、波線状、市松模様状、鱗文状、ヘリンボーン状、動物柄状、グレースケール等、又はこれらの組合せ等であってよい。また、例えば、ストライプの間隔、ストライプの線の太さ、斜めストライプの角度、ドットの大きさ、ドットの密度、格子間隔、グレースケールの濃淡等が異なるパターンは、同種のパターンとして設定してもよいし、異種のパターンとして設定してもよい。
【００２４】
文字列が２つ以上のセキュリティー文字を有する場合、これらのセキュリティー文字におけるセキュリティー印刷層のパターンは、それぞれ、同じであってもよいし、相違していてもよい。２つ以上のセキュリティー文字におけるセキュリティー印刷層のパターンを、それぞれ異なるものにすることにより、パターン解読の危険が更に減少し、例えば切り貼り等による改竄がより困難となって、印刷物のセキュリティー性は更に向上される。
【００２５】
セキュリティー印刷層は、セキュリティーインクによって印刷されている。セキュリティーインクは、例えば、磁気インク、カーボン含有インク、蛍光インク等であってよい。各セキュリティーインクを用いた場合の真贋判定方法は後述する。なお、本明細書における「インク」とは、液体状のインクの他に、粉体状のトナーも含む概念である。
【００２６】
−隠蔽印刷層−
セキュリティー文字線におけるセキュリティー印刷層のパターンは、非セキュリティーインクによって印刷された隠蔽印刷層によって隠蔽されている。
【００２７】
非セキュリティーインクは、セキュリティー印刷層を構成するセキュリティーインクの種類に応じて、適宜に選択されるべきである。例えば、セキュリティーインクが磁気インクであるとき、非セキュリティーインクは非磁気インクであってよく；セキュリティーインクがカーボン含有インクであるとき、非セキュリティーインクはカーボン非含有インクであってよく；セキュリティーインクが蛍光インクであるとき、非セキュリティーインクは非蛍光インクであってよい。
【００２８】
セキュリティーインクと非セキュリティーインクとは、目視観察による区別が困難な色調の組合せとすることが望まれる。具体的には、色相、明度、及び彩度のうちの１つ以上、好ましくは２つ以上、より好ましくは３つの指標において、セキュリティーインクと非セキュリティーインクとが同じ値又は近い値を示すことが望まれる。
【００２９】
−隠蔽の態様−
セキュリティー文字線において、セキュリティーインクによって印刷されたセキュリティー印刷層のパターンが、非セキュリティーインクによって印刷された隠蔽印刷層によって隠蔽される態様としては、例えば、以下の３つの場合が挙げられる：
セキュリティー文字線が、
セキュリティー印刷層と、
セキュリティー印刷層上の、隠蔽印刷層と
から構成される場合（第１の隠蔽方法）；
セキュリティー文字線が、
隠蔽印刷層と、
隠蔽印刷層上の、セキュリティー印刷層と
から構成される場合（第２の隠蔽方法）；及び、
セキュリティー文字線が、
セキュリティー印刷層と、
隠蔽印刷層と、
から構成され、
隠蔽印刷層は、パターン状の印刷層であり、かつ、
セキュリティー文字線を基材面に垂直な方向から観察したとき、隠蔽印刷層のパターンが、セキュリティー印刷層のパターンの空白部を埋めるように配置されている場合（第３の隠蔽方法）。
【００３０】
以下、セキュリティー文字が明朝体のアラビア数字の「１」であり、セキュリティー印刷層のパターンが斜めストライプ状である場合を例として、これらの隠蔽方法について図を参照しながら説明する。図２〜図４は、いずれも、セキュリティー文字線を基材面に垂直な方向から観察したときに視認される様子を示す概略図である。
【００３１】
図２に、第１の隠蔽方法によるセキュリティー文字の構成の一例をした。
【００３２】
図２（ａ）は、基材（図示せず）上にセキュリティーインクによって印刷されたセキュリティー印刷層（１１）である。セキュリティー印刷層（１１）は、斜めストライプ状のパターンを有している。図２（ｂ）は、非セキュリティーインクによって印刷された隠蔽印刷層（２１）である。隠蔽印刷層（２１）は、細かい斜めストライプ状に描画されているが、パターンを有さないベタ塗り状であると理解されるべきである。この隠蔽印刷層（２１）は、図２（ａ）のセキュリティー印刷層（１１）上に形成される。
【００３３】
図２（ｃ）に、図２（ａ）のセキュリティー印刷層（１１）及び図２（ｂ）の隠蔽印刷層（２１）から構成されるセキュリティー文字線によって表記されているセキュリティー文字（３１）を示す。図２（ｃ）のセキュリティー文字（３１）では、セキュリティー文字線において、下層のセキュリティー印刷層（１１）のパターンは、上層の隠蔽印刷層（２１）によって被覆されて隠蔽されている。このセキュリティー文字（３１）を目視で観察すると、ベタ塗り状の隠蔽印刷層（２１）のみが視認される。したがって、セキュリティー文字（３１）が、パターン状のセキュリティー印刷層（１１）を含むセキュリティー文字線によって表記されたセキュリティー文字であることを、目視による観察者が認識することは、困難である。
【００３４】
図３に、第２の隠蔽方法によるセキュリティー文字の構成の一例を示した。
【００３５】
図３（ａ）は、基材（図示せず）上に非セキュリティーインクによって印刷された隠蔽印刷層（２２）である。隠蔽印刷層（２２）は、細かい斜めストライプ状に描画されているが、パターンを有さないベタ塗り状であると理解されるべきである。図３（ｂ）は、セキュリティーインクによって印刷されたセキュリティー印刷層（１２）である。セキュリティー印刷層（１２）は、斜めストライプ状のパターンを有している。このセキュリティー印刷層（１２）は、図３（ａ）の隠蔽印刷層（２２）上に形成される。
【００３６】
図３（ｃ）に、図３（ａ）の隠蔽印刷層（２２）及び図３（ｂ）のセキュリティー印刷層（１２）から構成されるセキュリティー文字線によって表記されているセキュリティー文字（３２）を示す。図３（ｃ）のセキュリティー文字（３２）を目視で観察すると、セキュリティー文字線において、セキュリティー印刷層（１２）のうちのセキュリティーインクが存在する部分ではセキュリティーインクが見えるが、セキュリティーインクが存在しない空白部では、下層の隠蔽印刷層（２２）の非セキュリティーインクが見えている。ここで、セキュリティーインクと非セキュリティーインクとを、目視観察による区別が困難な色調の組合せとすると、セキュリティー文字（３２）が、パターン状のセキュリティー印刷層（１２）を含むセキュリティー文字線よって表記されたセキュリティー文字であることを、目視による観察者が認識することは、困難となる。
【００３７】
図４に、第３の隠蔽方法によるセキュリティー文字の構成の一例をした。
【００３８】
図４（ａ）は、基材（図示せず）上にセキュリティーインクによって印刷されたセキュリティー印刷層（１３）である。セキュリティー印刷層（１３）は、斜めストライプ状のパターンを有している。図４（ｂ）は、非セキュリティーインクによって印刷された隠蔽印刷層（２３）である。隠蔽印刷層（２３）も、斜めストライプ状のパターンを有している。ここで、セキュリティー文字線を基材面に垂直な方向から観察したとき、隠蔽印刷層（２３）のパターンは、セキュリティー印刷層のパターンの空白部を埋めるように配置されている。換言すると、隠蔽印刷層（２３）を構成する非セキュリティーインクは、セキュリティー文字線のうちの、セキュリティー印刷層（１３）を構成するセキュリティーインクが存在しない部分を埋めるように配置されている。
【００３９】
図４（ｃ）に、図４（ａ）のセキュリティー印刷層（１３）及び図４（ｂ）の隠蔽印刷層（２３）から構成されるセキュリティー文字線によって表記されているセキュリティー文字（３３）を示す。図４（ｃ）のセキュリティー文字（３３）を、基材面に垂直な方向から目視で観察すると、セキュリティー文字線において、セキュリティー印刷層（１３）のセキュリティーインクが存在する部分ではセキュリティーインクが見えるが、該パターンの空白部（セキュリティーインクが存在しない部分）では、隠蔽印刷層（２３）の非セキュリティーインクが見えることになる。ここで、セキュリティーインクと非セキュリティーインクとを、目視観察による区別が困難な色調の組合せとすると、セキュリティー印刷層（１３）及び隠蔽印刷層（２３）それぞれのパターンが、相補的に空間を充填して、一見ベタ塗り状の文字線を構成しているように見える。そのため、セキュリティー文字（３３）が、パターン状のセキュリティー印刷層（１３）を含むセキュリティー文字線によって表記されたセキュリティー文字であることを、目視による観察者が認識することは、困難となる。
【００４０】
《印刷物の真贋の判定》
セキュリティーインクとして磁気インクを用い、非セキュリティーインクとして非磁気インクを用いた場合、セキュリティー文字の検査は、磁気的に行われてよい。磁気的な検査は、例えば、磁気インク文字読取装置によって行うことができる。後述の実施例で検証されたように、磁気インクによって印刷されたパターン状のセキュリティー印刷層を含むセキュリティー文字線によって表記されたセキュリティー文字を、磁気インク文字読取装置を用いて読み込むと、当該文字の種類、及びセキュリティー印刷層のパターンの種類によって、磁気出力パターンが異なることになる。したがって、印刷物上のセキュリティー文字について得られた磁気出力パターンが、予め定められたパターンと一致するか否かを調べることにより、当該印刷物の真贋判定を行うことができる。
【００４１】
セキュリティーインクとして磁気インクを用い、非セキュリティーインクとして非磁気インクを用いる場合、隠蔽の態様としては、上述の第１〜第３の隠蔽方法のうちの、いずれであってもよい。
【００４２】
セキュリティーインクとしてカーボン含有インクを用い、非セキュリティーインクとしてカーボン非含有インクを用いた場合、セキュリティー文字の検査は、例えば、赤外線光源を有する画像読取装置によって行われてよい。カーボン含有インクによって印刷されたパターン状のセキュリティー印刷層を含むセキュリティー文字線によって表記されたセキュリティー文字を、赤外線光源を有する画像読取装置を用いて読み込むと、当該文字の種類、及びセキュリティー印刷層のパターンの種類によって、赤外線画像パターンが異なることになる。したがって、印刷物上のセキュリティー文字について得られた赤外線画像パターンが、予め定められたパターンと一致するか否かを調べることにより、当該印刷物の真贋判定を行うことができる。
【００４３】
セキュリティーインクとしてカーボン含有インクを用い、非セキュリティーインクとしてカーボン非含有インクを用いる場合、隠蔽の態様としては、上述の第１〜第３の隠蔽方法のうちの、いずれであってもよい。
【００４４】
セキュリティーインクとして蛍光インクを用い、非セキュリティーインクとして非蛍光インクを用いた場合、セキュリティー文字の検査は、例えば、紫外線光源を有する画像読取装置によって行われてよい。蛍光インクによって印刷されたパターン状のセキュリティー印刷層を含むセキュリティー文字線によって表記されたセキュリティー文字を、紫外線光源を有する画像読取装置を用いて読み込むと、当該文字の種類、及びセキュリティー印刷層のパターンの種類によって、蛍光画像パターンが異なることになる。したがって、印刷物上のセキュリティー文字について得られた蛍光画像パターンが、予め定められたパターンと一致するか否かを調べることにより、当該印刷物の真贋判定を行うことができる。
【００４５】
セキュリティーインクとして蛍光インクを用い、非セキュリティーインクとして非蛍光インクを用いる場合、隠蔽の態様としては、上述の第２又は第３の隠蔽方法であってよい。
【００４６】
《印刷物の適用》
本発明の印刷物は、上記のとおり、改竄防止策が施されていることを目視観察によって認識すること自体が困難であり、例えば切り貼り等による改竄の懸念、及びパターン解読の可能性が抑制されており、かつ、真正品であるか、改竄品であるかの判定を容易に行うことができる。したがって、本発明の印刷物は、有価証券、公営競技の投票券等に好適に適用可能である。有価証券は、例えば、株券発行会社の株券、商品券、貨物引換証、倉荷証券、為替手形、小切手等であってよい。公営競技の投票券は、例えば、勝馬投票券、勝舟投票券、勝車投票券、勝者投票券等であってよい。
【００４７】
《印刷物の製造方法》
本発明の別の観点では、
基材上に、セキュリティー文字が印刷されている印刷物の製造方法であって、
上記セキュリティー文字は、セキュリティー文字線によって表記されており、
上記セキュリティー文字線は、
セキュリティーインクによって印刷されたセキュリティー印刷層と、
非セキュリティーインクによって印刷された隠蔽印刷層と
を有し、
セキュリティー印刷層は、パターン状の印刷層であり、かつ、
上記セキュリティー印刷層のパターンが、上記隠蔽印刷層によって隠蔽されており、
上記製造方法は、
セキュリティーインクによってセキュリティー印刷層を印刷すること、及び
非セキュリティーインクによって隠蔽印刷層を印刷すること
を順不同で含み、これにより、上記セキュリティー印刷層のパターンが上記隠蔽印刷層によって隠蔽されている上記セキュリティー文字線を構成する、
製造方法が提供される。
【００４８】
上記のセキュリティー印刷層及び隠蔽印刷層の印刷は、例えば、インクジェットプリンタ、電子写真方式プリンタ等により行われてよい。
【００４９】
《印刷物の真贋判定方法》
本発明の更に別の観点によると、
基材上に、セキュリティー文字が印刷されている印刷物の真贋判定方法であって、
上記セキュリティー文字は、セキュリティー文字線によって表記されており、
上記セキュリティー文字線は、
セキュリティーインクによって印刷されたセキュリティー印刷層と、
非セキュリティーインクによって印刷された隠蔽印刷層と
を有し、
上記セキュリティー印刷層は、パターン状の印刷層であり、かつ、
上記セキュリティー印刷層のパターンが、上記隠蔽印刷層によって隠蔽されており、
上記真贋判定方法は、上記セキュリティー文字が、所定のセキュリティーインクによって印刷されたセキュリティー印刷層を含む所定のセキュリティー文字線によって表記されているか否かを検出することを含む、
真贋判定方法が提供される。
【００５０】
セキュリティーインクが磁気インクであり、非セキュリティーインクが非磁気インクであるとき、セキュリティー文字が、所定のセキュリティーインクによって印刷されたセキュリティー印刷層を含む所定のセキュリティー文字線によって表記されているか否かを検出することは、例えば、磁気的に行われてよい。この磁気的な検出は、例えば、磁気インク文字読取装置を用いて行われてよい。
【００５１】
セキュリティーインクがカーボン含有インクであり、非セキュリティーインクがカーボン非含有インクであるとき、セキュリティー文字が、所定のセキュリティーインクによって印刷されたセキュリティー印刷層を含む所定のセキュリティー文字線によって表記されているか否かを検出することは、例えば、赤外線光源を有する画像読取装置によって行われてよい。
【００５２】
セキュリティーインクが蛍光インクであり、非セキュリティーインクが非蛍光インクであるとき、セキュリティー文字が、所定のセキュリティーインクによって印刷されたセキュリティー印刷層を含む所定のセキュリティー文字線によって表記されているか否かを検出することは、例えば、紫外線光源を有する画像読取装置によって行われてよい。
【実施例】
【００５３】
本実施例では、
基材として上質紙を用い、
セキュリティーインクとして磁気インクを用い、
非セキュリティーインクとして非磁気インクを用い、
基材上に、
非セキュリティーインクによって印刷された隠蔽印刷層、及び
セキュリティーインクによって印刷されたパターン状のセキュリティー印刷層
をこの順に印刷して、基材上にセキュリティー文字が印刷された印刷物を得た。
【００５４】
文字としては、アラビア数字の「０」、「１」、及び「３」を選択し、それぞれ、セキュリティー印刷層のパターンを、縦ストライプ状、横ストライプ状、及び斜めストライプ状として、基材上にセキュリティー文字を印刷した。文字のフォントは「明朝体」を採用し、文字のサイズ（ポイント数）は１４ポイントとした。
【００５５】
文字列構成文字の印刷は、インクジェットプリンタを用いて行った。
【００５６】
本実施例で使用した磁気インクと非磁気インクとは、ともに黒色のほぼ同じ色調を有するものとした。
【００５７】
本実施例で得られたセキュリティー文字が、磁気インク文字読取装置によって識別可能かどうかを調べた。
【００５８】
印刷された各文字を、英国デ・ラ・ルー公開有限会社製の磁気インク文字読取装置（型式名「ＭＩＣＲＥＸ」）を用いて読み、得られた磁気波形パターンを比較した。文字の読み込みに先立って、「Ｅ１３Ｂ」のフォントにより磁気インクで印刷された「ＯＮ  ＵＳ」という文字列を上記磁気インク文字読取装置で読み込んで、磁気出力１００％の値を校正した。
【００５９】
結果を図５〜７に示す。図５が「０」、図６が「１」、及び図７が「３」に関し、各図の（ａ）が全面塗潰しのパターン（文字線が実線）であり、（ｂ）が縦ストライプ状、（ｃ）が横ストライプ状、及び（ｄ）が斜めストライプ状のセキュリティー印刷層を有する場合である。図５〜７の（ａ）〜（ｄ）それぞれにおいて、左側から順に、印刷された隠蔽印刷層、及びセキュリティー印刷層、並びにこれらが積層されて構成されるセキュリティー文字の形状、並びに磁気インク文字読取装置の磁気出力が示されている。
【００６０】
図５〜７では、説明のために、隠蔽印刷層を細かい斜めストライプ状のハッチングで表し、セキュリティー印刷層のパターンを黒色で表している。しかし、上述のとおり、本実施例で実際に使用した磁気インクと非磁気インクとは、ともに黒色のほぼ同じ色調を有していた。そのため、実施例で得られた印刷物上のセキュリティー文字を目視で観察したときに、セキュリティー印刷層のパターン（セキュリティーインクが存在する部分）と、セキュリティーインクが存在せずに下層の隠蔽印刷層が見えている部分とを識別することは、不可能又は極めて困難であった。
【００６１】
磁気出力パターングラフの横軸は、各文字の横方向の位置を示す相対値である。グラフの縦軸は、磁気出力の相対値である。横軸及び縦軸とも数字の値自体に意味はなく、グラフに現れた磁気パターンの形状に注目すべきである。
【００６２】
図５〜図７それぞれの（ａ）〜（ｄ）図を比較すると、同じ文字（数字）であっても、セキュリティー印刷層のパターンが異なると、磁気出力パターン形状が相違することが分かる。また、図５〜図７において、（ａ）図同士、（ｂ）図同士、（ｃ）図同士、及び（ｄ）図同士をそれぞれ比較すると、セキュリティー印刷層のパターンが同じ又は類似する場合であっても、文字種（数字）が異なると、磁気出力パターン形状が相違することが分かる。
【００６３】
これらのことから、本発明の方法を適用して、セキュリティーインクとして磁気インクを用い、非セキュリティーインクとして非磁気インクを用いて得られた、セキュリティー文字を有する印刷物は、セキュリティー印刷層のパターンを目視観察によって識別することが困難でありながら、市販の磁気インク文字読取装置から得られた磁気パターンによって、文字種及び文字線のパターンを識別可能であることが分かった。したがって、本発明の印刷物を磁気インク文字読取装置で読み込んで、得られた文字線の磁気パターンを、例えば予め設定されたパターンテーブルと比較して、特定のセキュリティー文字が所定のセキュリティー文字線で表記されているか否かを調べることにより、当該印刷物の真贋判定を容易かつ確実に行うことが可能である。
【符号の説明】
【００６４】
１    ステム
２    上部修飾セリフ
３    下部修飾セリフ
４    文字線
５    文字
１１、１２、１３    セキュリティー印刷層
２１、２２、２３    隠蔽印刷層
３１、３２、３３    セキュリティー文字
【図１】
2020185770.tif 000003
【図２】
2020185770.tif 000004
【図３】
2020185770.tif 000005
【図４】
2020185770.tif 000006
【図５】
2020185770.tif 000007
【図６】
2020185770.tif 000008
【図７】
2020185770.tif 000009